(57)【要約】  互いに異なるサーバーを有する異なる知的財産情報システムの情報を交換することによって、または一つの知的財産情報システムの各ユーザの保存フォルダーに情報を保存することによって、ユーザの不便を軽減する方法及びシステムが提供される。この方法は、互いに異なるサーバーで作動される少なくとも第１及び第２の異なる知的財産関連システムの連係方法である。この方法は、第１の知的財産情報システムによって、第２の知的財産情報システムにユーザ識別子（ＩＤ）を提供し、第２の知的財産情報システムによって、検索された案件情報または第２の知的財産情報システムの各ユーザ用に検索された案件情報を、第１の知的財産情報システムの各ユーザの保存フォルダーに提供する工程を含む。
2008535118.tif 000002
【特許請求の範囲】
【請求項１】
第１の知的財産情報システムによって、第１の知的財産情報システムのユーザの識別子を第２の知的財産情報システムに提供する工程と、
第２の知的財産情報システムによって、第１のユーザが選択した案件情報と第１のユーザの識別子を、第１の知的財産情報システムに提供する工程と、
第１の知的財産情報システムの第１のユーザの保存フォルダーに第１のユーザが選択した任意の案件情報を保存する工程と、
を含む、互いに異なるサーバーで運営される少なくとも第１及び第２の異なる知的財産関連システムの連係方法。
【請求項２】
第２の知的財産情報システムは、第１の知的財産情報システムのユーザの識別子と異なる識別子を有するユーザ用の保存フォルダーを備え、かつ第２の知的財産情報システムのユーザ用の保存フォルダー中の選択された案件情報が提供される、ことを特徴とする請求項１に記載された方法。
【請求項３】
第１の知的財産情報システムによって、第２の知的財産情報システムに第１の知的財産情報システムまたは第１の知的財産情報システムのサーバーの識別子を提供する工程と、
第２の知的財産情報システムによって、第１の知的財産情報システムまたは第１の知的財産情報システムのサーバーを識別子に基づき認証する工程と、
をさらに含むことを特徴とする請求項１に記載された方法。
【請求項４】
第１の知的財産情報システムは、出願人または弁理士の知的財産情報システムであることを特徴とする請求項１に記載された方法。
【請求項５】
第２の知的財産情報システムは、特許庁の知的財産情報システムまたは公開された知的財産を提供する知的財産情報検索システムであることを特徴とする請求項１に記載された方法。
【請求項６】
第１の知的財産情報システムの第１のユーザの保存フォルダーを第２のユーザまたはユーザグループと共有させる工程をさらに含むことを特徴とする請求項１に記載された方法。
【請求項７】
第２のユーザが、第１の知的財産情報システムにおける照会された情報の保存された位置情報を第２の知的財産情報システムに提供し、かつ第２の知的財産情報システムが、位置情報に対応する情報へのリンクを提供するか、または位置情報に対応するページを開く工程、を含むことを特徴とする請求項６に記載された方法。
【請求項８】
第１のユーザが、第１の知的財産情報システムにおける照会された情報が保存された位置情報を第２の知的財産情報システムに提供し、かつ、第２の知的財産情報システムが、位置情報に対応する情報へのリンクを提供するか、または位置情報に対応するページを開く工程、を含むことを特徴とする請求項１に記載された方法。
【発明の詳細な説明】
【技術分野】
【０００１】
本発明は、互いに異なるサーバーを有する異なる知的財産情報システム間でデータ交換または画面連係を実施して、不要な開発費用及び運営費用を節減できる方法及びシステムに関する。
【背景技術】
【０００２】
従来、出願人または弁理士が開発して運営する知的財産情報システムと、特許庁または商用の特許検索データベースが別途に存在した。
これらは、異なる情報を管理し、各々の機能を極大化するために別々に運営されている。
出願人または弁理士が運営する知的財産情報システムは、出願人または弁理士によって作成された発明の要約及び出願を含む詳細な情報を提供している。しかしながら、各システムは、公開された出願、審査で引用された引用例及び他人の特許出願及び特許を含む知的財産権に関する情報がないか不足している。従って、この情報を得るためには、他の知的財産情報システム、例えば特許庁の知的財産情報システムに別途にアクセスして検索する必要があり、ユーザにとって不便である。
また、ユーザ及び特許庁または知的財産検索システム用の保存ホルダーは、出願人または弁理士の知的財産情報システムに連係していないので、ユーザは、保存フォルダーに異なるシステムに保存されている情報を全て保存することができず、かつ、任意の情報を照会する度毎に知的財産関連システムにアクセスする必要がある。
【発明の開示】
【発明が解決しようとする課題】
【０００３】
本発明の目的は、互いに異なるサーバーを有する異なる知的財産情報システムに保存された情報を、いずれか一つの知的財産情報システムの保存フォルダーに保存することによって、ユーザの不便を解決できる方法及びシステムを提供することにある。
【課題を解決するための手段】
【０００４】
本発明の図１乃至図３に示された知的財産情報システムＡ１０１、２０１及び３０１と知的財産情報システムＢ１０２、２０２及び３０２は、異なるサーバー（即ち、サーバーＡ、サーバーＢ）で運営され異なる情報を管理し、かつ異なる画面構成を有する。好ましくは、知的財産情報システムＡは、企業及び研究所などの出願人または弁理士のシステムであって、発明提案、出願のための出願原案及びデータ及びファイルを管理するシステムである。知的財産情報システムＢは、一国の特許庁及び公開された知的財産権の検索のためのシステムである。知的財産情報システムＢが公開後の情報を検索するシステムである場合には、知的財産情報システムＡのユーザは、知的財産情報システムＡの保存フォルダーに知的財産情報システムＡの情報だけではなく、知的財産情報システムＢの情報を保存及び管理することができ、かつ、知的財産情報システムＢのページまたは原文の位置情報を利用することによって、知的財産情報システムＡで知的財産情報システムＢの情報を便利に照会することができる。
【発明を実施するための最良の形態】
【０００５】
以下、本発明の例示的な実施例を添付の図面を参照して詳細に説明する。
簡潔かつ明りょう化のため、この技術分野での周知事項については説明を行わない。
図１は、本発明の第１実施例に係る連係した互いに異なる知的財産情報システムを示す。
知的財産情報システムＡ１０１と知的財産情報システムＢ１０２は、異なるサーバー（サーバーＡ、サーバーＢ）で運営されるシステムである。知的財産情報システムＡ１０１は、知的財産情報システムＢ１０２に知的財産情報システムＡ１０１のシステム識別子（ＩＤ）と知的財産情報システムＡ１０１のユーザ識別子を提供する（１１１）。知的財産情報システムＢ１０２は、システム識別子（ＩＤ）に基づいて知的財産情報システムＡ１０１の認証を行う（１１２）。
【０００６】
ユーザは、知的財産情報システムＢ２０１での案件の検索１１３または検索結果１１４を、知的財産情報システムＢ１０２の転送手段１１５を用いて知的財産情報システムＡ１０１に転送する。
知的財産情報システムＢ１０２は、知的財産情報システムＡ１０１から受け取ったユーザの識別子とユーザが転送した案件の情報の両方を知的財産情報システムＡ１０１に転送する（１１６）。
知的財産情報システムＡ１０１は、知的財産情報システムＢ１０２から受け取ったユーザの識別子に基づいてユーザを同定し（１１７）、その保存フォルダーに知的財産情報システムＢ１０２から受け取った案件の情報を保存する（１１８）。
【０００７】
ユーザは、知的財産情報システムＡ１０１に備えられた自身の保存フォルダーに保存された案件の情報を照会するために、知的財産情報システムＢ１０２に案件の識別子または知的財産情報システムＢ１０２の案件の位置情報を提供する（１１９）。知的財産情報システムＡ１０１は、案件に対応する照会画面を受け取る（１２０）。
案件の識別子（ＩＤ）は、国コード、権利区分、連続した番号種別、連続した番号またはこれらの組み合わせで構成されることが好ましい。
照会画面は、原文または書誌情報を含む画面であることが好ましい。複数の案件が選択された場合には、照会画面は、各案件の基本的な書誌情報及び代表図を含む選択された特許案件の全て表示する画面であり得る。
【０００８】
図２は、本発明の第２実施例に係る連係した互いに異なる知的財産情報システムを示す。
知的財産情報システムＡ２０１と知的財産情報システムＢ２０２は、異なるサーバー（サーバーＡ及びサーバーＢ）で運営されるシステムである。知的財産情報システムＡ２０１は、知的財産情報システムＢ２０２に、知的財産情報システムＡ２０１のシステム識別子（ＩＤ）と知的財産情報システムＡ２０１のユーザ識別子を提供する（２１１）。知的財産情報システムＢ２０２は、システム識別子（ＩＤ）に基づいて知的財産情報システムＡ２０１の認証を行う（２１２）。
ユーザは、知的財産情報システムＢ２０１での案件の検索（２１３）または検索結果２１４を、知的財産情報システムＢ２０２の転送手段２１５を用いて知的財産情報システムＡ２０１に転送する。
知的財産情報システムＢ２０２は、知的財産情報システムＡ２０１から受け取ったユーザの識別子とユーザが転送した案件の情報の両方を知的財産情報システムＡ２０１に転送する（２１６）。
【０００９】
知的財産情報システムＡ２０１は、知的財産情報システムＢ２０２から受け取ったユーザの識別子に基づいてユーザを同定し（２１７）、知的財産情報システムＡ２０１に備えられたその保存フォルダーに知的財産情報システムＢ２０２から受け取った案件の情報を保存する（２１８）。
ユーザは、知的財産情報システムＡ２０１の他のユーザまたはユーザグループと自身のフォルダーを共有することができる（２１９）。
他のユーザは、ユーザが共有した保存フォルダーに保存された案件の情報を照会するために、知的財産情報システムＢ２０２に案件の識別子または知的財産情報システムＢ２０２の案件の位置情報を提供する（２２０）。知的財産情報システムＡ２０１は、案件に対応する照会画面を受け取る（２２１）。
案件の識別子（ＩＤ）は、国コード、権利区分、連続した番号種別、連続した番号、または、これらの組み合わせで構成されることが好ましい。
照会画面は、原文または、書誌情報を含む画面であることが好ましい。複数の案件が選択された場合には、照会画面は、各案件の基本的な書誌情報及び代表図を含む選択された特許案件を全て表示する画面であり得る。
【００１０】
図３は、本発明の第３実施例に係る、連係した互いに異なる知的財産情報システムを示す。
知的財産情報システムＡ３０１と知的財産情報システムＢ３０２は、異なるサーバー（サーバーＡ及びサーバーＢ）で運営されるシステムである。知的財産情報システムＡ３０１は、知的財産情報システムＢ３０２に、知的財産情報システムＡ３０１のシステム識別子（ＩＤ）と知的財産情報システムＡ３０１のユーザ識別子を提供する（３１１）。知的財産情報システムＢ３０２は、システム識別子（ＩＤ）に基づいて知的財産情報システムＡ３０１の認証を行う（３１２）。
【００１１】
ユーザは、知的財産情報システムＢ３０２の保存ホルダ３１３に保存された案件から、知的財産情報システムＡ３０１に転送しようとする案件を選択し、かつ選択した案件を知的財産情報システムＢ３０２に備えられた転送手段３１４を用いて知的財産情報システムＡ３０１に転送する。
知的財産情報システムＢ３０２は、知的財産情報システムＡ３０１から受け取ったユーザの識別子とユーザが転送した案件の情報の両方を知的財産情報システムＡ３０１に転送する（３１５）。
知的財産情報システムＡ３０１は、知的財産情報システムＢ３０２から受け取ったユーザの識別子に基づいてユーザを同定し（３１６）、かつ、その保存フォルダーに知的財産情報システムＢ３０２から受け取った案件の情報を保存する（３１７）。
【００１２】
ユーザは、知的財産情報システムＡ３０１に備えられた保存フォルダーに保存された案件の情報を照会するために、知的財産情報システムＢ３０２に案件の識別子または知的財産情報システムＢ３０２の案件の位置情報を提供する（３１８）。知的財産情報システムＡ３０１は、案件に対応する照会画面を受け取る（３１９）。
案件の識別子（ＩＤ）は、国コード、権利区分、連続した番号種別、連続した番号、または、これらの組み合わせで構成されることが好ましい。
照会画面は、原文または書誌情報を含む画面であることが好ましい。複数の案件が選択された場合には、照会画面は、各案件の基本的な書誌情報及び代表図を含む選択された特許案件を全て表示する画面であり得る。
【産業上の利用可能性】
【００１３】
上記のシステムによって、互いに異なるサーバーを有する異なる知的財産情報システムに保存された情報は、いずれか一つの知的財産情報システムの保存フォルダーに保存され、それによってユーザの不便を解決することができる。加えて、出願人の知的財産権に関連する先行特許出願及び特許を、他のシステムにアクセスして番号照会を行うことなく照会でき、従って、ユーザの利便性が増大し開発費用及びサーバーの運営費用を節減することができる。
【００１４】
特に、公開された知的財産情報は、出願人または弁理士の知的財産情報システムと特許庁または公開された知的財産権を提供するための知的財産検索システムとの連係により、公開された知的財産に関する書誌情報を別途保存したり或いは原文を照会する画面を別途に実装することなく、企業及び研究所の出願人または弁理士の知的財産情報システムで検索することができる。
本発明をその例示的な実施例に関連して説明したが、当業者には、特許請求の範囲で規定する本発明の範囲を逸脱することなく、種々の変形や細部の変更をなし得ることが理解されよう。
【図面の簡単な説明】
【００１５】
【図１】本発明の第１実施例に係る、連係した互いに異なる知的財産情報システムを示す。
【図２】本発明の第２実施例に係る、連係した互いに異なる知的財産情報システムを示す。
【図３】本発明の第３実施例に係る、連係した互いに異なる知的財産情報システムを示す。
【図１】
2008535118.tif 000003
【図２】
2008535118.tif 000004
【図３】
2008535118.tif 000005
【国際調査報告】
2008535118.tif 000006